(57)【要約】【課題】工場出荷時から店頭に陳列されるまでの間、或いは、不使用時にポケットなどに差し込んだ際に、ノック操作が行われてしまい、筆記部を破損させてしまったり、衣類などを汚してしまう危険性があった。搬送時における製品同士のぶつかり合いや不慮のノック操作によって、筆記部が突出してしまうのである。【解決手段】軸筒の後部に設けられたノック部材を押圧することによって軸筒の前端から筆記体を出没させる出没式筆記具であって、前記ノック部材の案内部を軸筒の軸線方向に設けると共に、その案内部の上方の周方向に規制溝を設け、その規制溝に前記ノック部材を係止させた出没式筆記具。【選択図】  図１
2005014451.tif 000002
【特許請求の範囲】
【請求項１】
軸筒の後部に設けられたノック部材を押圧することによって軸筒の前端から筆記体を出没させる出没式筆記具であって、前記ノック部材の案内部を軸筒の軸線方向に設けると共に、その案内部の上方の周方向に規制溝を設け、その規制溝に前記ノック部材を係止させたことを特徴とする出没式筆記具。
【請求項２】
前記規制溝を筆記体の突出方向に向けて傾斜させたことを特徴とする請求項１記載の出没式筆記具。
【請求項３】
前記案内部と規制溝を軸筒の側壁に連続的に設けると共に、その案内部、並びに、規制溝に嵌り込む突部を前記ノック部材に設けたことを特徴とする請求項１、或いは、請求項２に記載の出没式筆記具。
【発明の詳細な説明】
【０００１】
【発明の属する技術分野】
本発明は、軸筒の後部に設けられたノック部材を押圧することによって軸筒の前端から筆記体を出没させる出没式筆記具に関する。
【０００２】
【従来の技術】
１例として、一方に筆記部が出入する開口を有し、他方の開放端から軸線方向に延在し、係止部を有するスリット部が形成された軸筒と、内部にインクを貯蔵し、一方に筆記部が他方にノック部が夫々配置されたインクタンクと、前記軸筒とインクタンクとの間に配設され、インクタンクを開放端側に付勢する弾性体と、からなり、前記インクタンクに基部を介して設けたクリップ部の基部を前記スリット部に嵌挿し、ノック部を弾性体に抗して押圧すると、基部が一方向に回動して係止部に侵入して係止するノック式筆記具がある（特許文献１参照）。
【０００３】
【特許文献１】
実用新案登録第２５４９１３５号公報（請求項１、並びに、図２、図５、図６、図８など）。
【０００４】
【発明が解決しようとする課題】
ところで、前記従来の構成にあっては、工場出荷時から店頭に陳列されるまでの間、或いは、不使用時にポケットなどに差し込んだ際に、意図しないでノック操作が行われてしまうこともあり、筆記部を破損させてしまったり、衣類などを汚してしまう危険性があった。搬送時における製品同士のぶつかり合いによるノック動作や不慮のノック操作によって、筆記部が突出してしまうのである。
【０００５】
【課題を解決するための手段】
本発明は、軸筒の後部に設けられたノック部材を押圧することによって軸筒の前端から筆記体を出没させる出没式筆記具であって、前記ノック部材の案内部を軸筒の軸線方向に設けると共に、その案内部の上方の周方向に規制溝を設け、その規制溝に前記ノック部材を係止させたことを要旨とする。
【０００６】
【作用】
規制部に基部を位置させることによって、不慮の突出操作が防止される。
【０００７】
【実施例】
図１〜図５に本発明の１例について説明する。図１は筆記体２が収納されている状態を示す部分縦断面図である。軸筒１には、弾発部材７を介して移動不能にシール筒部３が段部で係止されセットされている。そのシール筒部３の後方内面には、樹脂材質から形成された筆記体２の前方の外壁と密閉を保つための内方リブが円周上に形成されている。また、シール蓋４には、３本の細線部５が放射状にしかも等間隔（１２０度間隔）な位置に一体に形成されている。その細線部５の後端はガイド筒６に固定され弾発部材７の付勢により、前記シール蓋４を後方に押し当て、そのシール蓋４とシール筒部３との密閉が保たれている。
軸筒１の先端部は筆記体２の先端が出没可能に摺動する先端開口穴が設けられ、後端は筆記体２を形成する後方部材（ノック部材）２ｂを摺動可能に配置できる後端開口穴が設けられている。また、軸筒１の側面には、摺動駒９が長手方向に摺動可能で、先端方向に係止部１ｂを形成した案内溝１ａが形成されている。その案内溝１ａの後方は軸筒１の後端開口部と連接されず、案内溝１ａは軸筒１の側面で閉じた窓部を形成している。即ち、案内溝１ａの先端と後端（後端部１ｃ）は、閉塞されているのである。また、案内溝１ａの後端部１ｃは、筆記体２が軸筒１に収納されているときの摺動駒９の係止部ともなり得る。
【０００８】
更に、その案内溝１ａの後端部１ｃからは、円周方向に規制溝１ｉが形成されている。工場出荷時や不使用時、摺動駒９を軸筒１の円周方向に回転させ、規制溝１ｉに基部９ｂを位置させておくことによって、不慮の出没動作が防止されるのである。又、この際、摺動駒９（基部９ｂ）が容易には復帰しないように、摺動駒９と軸筒１とが係合し得るようになっている。具体的には、軸筒１の外周面に設けた突起１ｋに、摺動駒９の下面に設けた突起９ｈが係合するのである（図５、図６参照）。尚、本例においては、基部９ｂ（摺動駒９）と後方部材（ノック部材）２ｂとを別部材で形成し、互いを係合・固定しているが、射出成形や切削加工などの手段によって一体形成などしても良い。
ここで、前記規制溝１ｉの底面には、筆記体２の突出方向に向かって傾斜する傾斜面部１ｌが形成されている。規制溝１ｉに基部９ｂが位置した状態で、過大な突出操作が行われた場合、前記傾斜面部１ｌを通過して基部９ｂが前進し得るようにしているのである。即ち、不慮、且つ、過度の突出操作における、規制溝１ｉや基部９ｂの破損を防止しているのである。ちなみに、本例においては、約３．０ｋｇ〜５．０ｋｇの突出操作力が作用すると、基部９ｂが傾斜面１ｌを通過して、規制溝１ｉから離脱し案内溝１ａに達するようになっている。
尚、案内溝１ａの後端部１ｃには、下方に向けて突起１ｊが形成されており、後述する基部９ｂの凹状の傾斜部９ｅが係合し得るようになっている。即ち、使用時においては、摺動駒９が軸筒１に対して不用意に回転しないようになっているのである。
【０００９】
次に、前記シール筒部３について詳述する。シール筒部３の内面後方には、断面が半円弧状のシール部３ａが環状に形成されている。このシール部３ａは、上下の２段に形成されており、前記筆記体２の前方部材２ａと液密摺動する部分となっている。即ち、シール筒部３の内空間部３ｂとその外側とを遮断する部分となっているが、相対的に摺動が可能なものとなっている。具体的には、シール筒部３が軸筒１に固定されている為、筆記体２（前方部材２ａ）がシール筒部３に対して摺動する。又、その内空間部３ｂの内径は、前記筆記体２の筆記部１０の外径とほぼ同様な外径を有している。内空間部３ｂを極力小さくすることによって、筆記部１０の乾燥は基より、筆記部１０からのインキの乾燥をも防止しているのである。
【００１０】
前記摺動駒９は、軸筒１の外側に釦部９ａと案内溝１ａ内を摺動係止する基部９ｂと軸筒１の内側で筆記体２を抱設する内方部９ｃとからなる。図１では、摺動駒９の基部９ｂの後方が案内溝１ａの後端部１ｃに当接あるいは僅かな隙間をもって配置されている。
図２は筆記体２が突出した状態（筆記状態）を示した部分縦断面図である。摺動駒９の基部９ｂ後方に形成した凹状の傾斜部９ｅが、軸筒１の鋭角な係止部（突起）１ｂに係止され筆記状態を保つことができる。この状態で摺動駒９の釦部９ａを長手軸を中心に適宜回転させることにより、摺動駒９の基部９ｂと案内溝係止部１ｂの係止が解除され、筆記体２は収納状態に移ることができる。
【００１１】
図３は、図１の横断面図であり、摺動駒９の内方部９ｃが筆記体２を抱設し、摺動駒９が略長手軸を中心に回転可能に配置されている。具体的に説明すると、筆記体前方部材２ａと筆記体後方部材２ｂとは螺合よって着脱自在に連結・固定されており、その螺合部分に前記摺動駒９の内方部９ｃが緩着されている。即ち、内方部９ｃは、筆記体前方部材２ａと筆記体後方部材２ｂとによって挟み込まれた状態で筆記体２と一体化しているのである。また、前記筆記体前方部材２ａと筆記体後方部材２ｂは、螺合によって連結されており、その螺合構造の前方部が気密構造部となっている。具体的には、筆記体前方部材２ａの内面に形成されている円周リブが、筆記体後方部材２ｂに形成されている平面部２ｆに接触し、互いが圧接・変形し密着する気密構造となっている。これによって、後述するインキ吸蔵体のインキが、前記気密構造部から蒸発しない、或いは、極めて蒸発しにくい螺合構造となっている。
【００１２】
尚、前記気密構造によって連結された筆記体前方部材２ａと筆記体前方部材２ｂの内部には、繊維集束体からなるインキ吸蔵体が挿着されているが、スポンジやウレタン、綿などの多孔質体であっても良い。そして、前記繊維集束体からなるインキ吸蔵体の表面には、薄いフイルム状部材からなる被覆体が巻き付けられているが、その被覆体には微細な貫通孔を複数形成しても良い。
図７は主要部品の分解斜視図である。摺動駒９の内方部９ｃは筆記体２に嵌着される、前方部材２ａと後方部材２ｂで形成される縮径部（本実施例では後方部材２ｂ側）２ｃに回転可能に配置されている。符号２ｄは、筆記体前方部材２ａに形成された係止リブであって、その係止リブ２ｄは、前記ガイド筒６に係合している。即ち、筆記体前方部材２ａとガイド筒６とは相対的に回転が不可能な状態となっている。
【００１３】
【発明の効果】
本発明は、軸筒の後部に設けられたノック部材を押圧することによって軸筒の前端から筆記体を出没させる出没式筆記具であって、前記ノック部材の案内部を軸筒の軸線方向に設けると共に、その案内部の上方の周方向に規制溝を設け、その規制溝に前記ノック部材を係止させたので、不慮のノック操作を防止することができる。
【図面の簡単な説明】
【図１】本発明の１例を示す要部縦断面図（筆記体収納状態）。
【図２】本発明の１例を示す要部縦断面図（筆記体突出状態）
【図３】図１の横断面図。
【図４】図１の要部拡大図。
【図５】規制溝に基部を係合させた状態を示す横断面図。
【図６】図５の正面図。
【図７】分解斜視図。
【符号の説明】
１    軸筒
１ａ  案内溝
１ｂ  係止部
１ｃ  後端部
１ｅ  幅広部
１ｆ  面取り部
１ｇ  係止穴
１ｈ  係止穴
１ｉ  規制溝
１ｊ  突起
１ｋ  突起
１ｌ  傾斜面部
２    筆記体
２ａ  筆記体前方部材
２ｂ  筆記体後方部材
２ｃ  縮径部
２ｄ  係止リブ
２ｆ  平面部
３    シール筒部
４    シール蓋
５    細径部
６    ガイド筒
７    弾撥部材
８    クリップ
９    摺動駒
９ａ  釦部
９ｂ  基部
９ｃ  内方部
９ｅ  傾斜部
９ｇ  面取り部
９ｈ  突起
【図１】
2005014451.tif 000003
【図２】
2005014451.tif 000004
【図３】
2005014451.tif 000005
【図４】
2005014451.tif 000006
【図５】
2005014451.tif 000007
【図６】
2005014451.tif 000008
【図７】
2005014451.tif 000009